(57)【特許請求の範囲】
【請求項１】
キャップ本体と、ヒンジ部を介して回動可能に該キャップ本体に連結された蓋部と、を備え、
該キャップ本体は、該ヒンジ部とは反対側に設けられた被引掛部を有しており、
該蓋部は、天壁と、引掛部とを有し、該引掛部は、該天壁と連続する受圧部と、屈曲部を介して該受圧部と連続する押圧部とを有し、該屈曲部は、被引掛部に引掛け可能に形成された引掛凸部が設けられ、該押圧部は、空隙を介して該受圧部と対向している、ヒンジキャップであって、
該押圧部は、該蓋部を開蓋する際に、該受圧部を押圧する様になっており、
該受圧部よりも内方に該押圧部によって該受圧部が押圧された際に該引掛部を内方に向かって可動とする可動空間を有し、
該押圧部が該受圧部を押圧し、該引掛部が該可動空間に押し込まれ、該引掛凸部と該被引掛部との引っ掛り合いが解除される際に該空隙が遊びとして働くことを特徴とするヒンジキャップ。
【請求項２】
前記押圧部は、略段状に形成されており、その前記屈曲部とは逆側の端部は、前記引掛凸部よりも外方に位置する様に設けられていることを特徴とする請求項１に記載のヒンジキャップ。
【請求項３】
前記被引掛部は、孔状に形成されていることを特徴とする請求項１又は２に記載のヒンジキャップ。
【請求項４】
前記キャップ本体は、係合部を有しており、
前記蓋部は、該引掛部と対向する位置に該係合部と係合可能に設けられた係合壁を有することを特徴とする請求項１乃至３の何れかに記載のヒンジキャップ。
【請求項５】
前記係合壁は、前記係合部との係合位置にリブを有することを特徴とする請求項４に記載のヒンジキャップ。
【請求項６】
前記係合壁は、平板状に形成されていることを特徴とする請求項４又は５に記載のヒンジキャップ。
【請求項７】
前記キャップ本体は、凸壁を有しており、
前記蓋部は、前記ヒンジ部を介して該凸壁に連結されていることを特徴とする請求項１乃至６の何れかに記載のヒンジキャップ。
【請求項８】
前記蓋部は、少なくとも前記天壁に前記引掛部同士が重なり合うことを防止する突出部を有することを特徴とする請求項１乃至７の何れかに記載のヒンジキャップ。
【請求項９】
前記キャップ本体は、基部と、該基部に嵌着される頂壁部とからなり、該頂壁部に、前記蓋部が前記ヒンジ部を介して連結されると共に前記被引掛部が設けられることを特徴とする請求項１乃至８の何れかに記載のヒンジキャップ。
【発明の詳細な説明】
【技術分野】
【０００１】
本発明は、ヒンジキャップに関する。
【背景技術】
【０００２】
従来、注出口と外蓋とがヒンジによって結合された所謂ヒンジキャップにおいて、該注出口に係止片を有する係合孔を設け、該係止片が閉蓋時に指掛け部に引っ掛る様にすることで、不用意に該外蓋が開いてしまうことを防止しているヒンジキャップがある（例えば、特許文献１を参照）。
【先行技術文献】
【特許文献】
【０００３】
【特許文献１】特許第４６６０２６１号公報
【発明の概要】
【発明が解決しようとする課題】
【０００４】
特許文献１に記載された様な従来のヒンジキャップにおいては、輸送中等に外蓋が不意に開いてしまうことを防止するために、外蓋の指掛け部と注出口の係止片との係合力を大きく確保しておく必要があるため、それに伴って、外蓋を開けるのに必要な力も大きくなってしまい、需要者が外蓋を開けにくくなるという問題があった。
【０００５】
そこで、本発明は、輸送中等に蓋部が不意に開くことを防止しつつ、需要者が蓋部を開け易いヒンジキャップを提供することを目的とする。
【課題を解決するための手段】
【０００６】
本発明は、キャップ本体と、ヒンジ部を介して回動可能に該キャップ本体に連結された蓋部と、を備え、該キャップ本体は、該ヒンジ部とは反対側に設けられた被引掛部を有しており、該蓋部は、天壁と、引掛部とを有し、該引掛部は、該天壁と連続する受圧部と、屈曲部を介して該受圧部と連続する押圧部とを有し、該屈曲部は、被引掛部に引掛け可能に形成された引掛凸部が設けられ、該押圧部は、空隙を介して該受圧部と対向している、ヒンジキャップであって、該押圧部は、該蓋部を開蓋する際に、該受圧部を押圧する様になっており、該受圧部よりも内方に該押圧部によって該受圧部が押圧された際に該引掛部を内方に向かって可動とする可動空間を有し、該押圧部が該受圧部を押圧し、該引掛部が該可動空間に押し込まれ、該引掛凸部と該被引掛部との引っ掛り合いが解除される際に該空隙が遊びとして働くことを特徴とするヒンジキャップである。
【０００７】
本発明は、前記押圧部を、略段状に形成し、その前記屈曲部とは逆側の端部を、前記引掛凸部よりも外方に位置する様に設ける様にすることもできる。又、本発明は、前記被引掛部を、孔状に形成することもできる。又、本発明は、前記キャップ本体が、係止筒を有しており、前記蓋部が、該引掛部と対向する位置に該係止筒と係合する係合壁を有する様にすることもできる。又、本発明は、前記係合壁が、前記係止筒との係合部にリブを有する様にすることもできる。又、本発明は、前記係合壁を、平板状に形成することもできる。又、本発明は、前記キャップ本体を、凸壁を有するものとし、前記蓋部を、前記ヒンジ部を介して該凸壁に連結する様にすることもできる。又、本発明は、前記蓋部が、少なくとも前記天壁に前記引掛部同士が重なり合うことを防止する突出部を有する様にすることもできる。又、本発明は、前記キャップ本体を、基部と、該基部に嵌着される頂壁部とからなるものとし、該頂壁部に、前記蓋部が前記ヒンジ部を介して連結すると共に前記被引掛部が設けることもできる。
【発明の効果】
【０００８】
本発明は、上記の様な引掛部を有することにより、蓋部の被引掛部とキャップ本体の引掛部との引っ掛り合いを解除するためには、引掛部を可動空間に押し込む必要があり、又、引掛部を可動空間に押し込む際に、押圧部と受圧部との間の空隙が遊びとして働くため、輸送中等に該引掛部が押されたとしても、蓋部が不意に開くことを防止することができると共に需要者が開け易い構造となっている。
【図面の簡単な説明】
【０００９】
【図１】本発明の実施形態を示す蓋部を閉めた状態の正面図である。
【図２】本発明の実施形態を示す蓋部を閉めた状態の平面図である。
【図３】本発明の実施形態を示す蓋部を開けた状態の平面図である。
【図４】本発明の実施形態を示す蓋部を閉めた状態の背面図である。
【図５】図２のＶ−Ｖ断面図である。
【図６】図５の要部拡大図であり、（Ａ）が開蓋初期の状態を、（Ｂ）は開蓋第１段階の様子を、（Ｃ）は開蓋第２段階の様子を、示す図である。
【発明を実施するための形態】
【００１０】
本発明の実施形態を図１乃至図６に基づいて説明する。先ず、本実施形態の構成について説明する。ヒンジキャップ１は、キャップ本体２と、蓋部３と、ヒンジ部４とを備えている。
【００１１】
キャップ本体２は、頂壁部５を基部６に嵌着させることによって構成される。基部６は、注出筒７と、係合部としての係合筒８とを有している。頂壁部５は、頂壁９と、口部１０とを有しており、口部１０は、基部６の注出筒７が挿入可能に形成されると共に基部６の係合筒８と嵌合可能に形成される。又、本実施形態において、キャップ本体２は、頂壁９の外周縁より垂設された外筒１１と、外筒１１と共に前記容器が嵌合される嵌合溝１４を形成する内筒１５とが更に形成されている。
【００１２】
頂壁９には、一方側にヒンジ部４を介して蓋部３が回動可能に連結されており、ヒンジ部３とは反対側の他方側には、被引掛部を構成する孔部１３が形成されている。本実施形態において、頂壁９には、凸壁１２が立設されており、凸壁１２にヒンジ部３を介して蓋部３が連結されている。つまり、蓋部３が閉じられた状態において、蓋部３の回動の中心となるヒンジ部４の高さ位置が、後述する引掛部１９の引掛凸部２７より高い位置に設けられていることとなる。この様にすることで、蓋部３を開ける直前の引掛凸部２７の軌跡が外側に向かうものとなり、輸送時等により引掛凸部２７と孔部１３との引っ掛り合いが解除されることをより防止することができる。
【００１３】
係合筒８は、後述する様に蓋部３の係合壁２０と係合可能に設けられた係合部であり、本実施形態においては、頂壁部５と基部６とを嵌着するための構成を兼ねている。そのため、本実施形態においては、係合筒８は、注出筒７を囲む様に略円筒状に形成されているが、キャップ本体２を一体的に成形する場合においては、少なくとも、蓋部３の係合壁２０と係合する部分に設けられていればよい。
【００１４】
注出筒７は、ヒンジキャップ１が取付けられた容器（図示せず）内の内容物を注出可能とするための開口部１６を有する筒状体として形成されている。開口部１６は、本実施形態の様に初めから開口として形成してものでも良いが、最初は、スコア等の弱化部で区画された開口予定部（図示せず）として形成し、プルリング等を用いて弱化部を破断させ、事後的に開口部１６を形成する様にしても良い。
【００１５】
蓋部３は、天壁１７と、天壁１７の周縁より垂下するスカート壁１８と、引掛部１９とを有している。天壁１７は、その内面から係合壁２０が垂設されていると共に係合壁２０から乗り出すように庇部２１が形成されている。本実施形態においては、天壁１７には、その内面にヒンジキャップ１を容器に打栓する際に蓋部３を支持可能に設けられた中足２２が更に設けられており、中足２２は、係合壁２０と連続する様に形成されている。スカート壁１８は、ヒンジ部４とは反対側が切り欠かれていると共に当該切り欠かれた端が係合壁２０と連続するように設けられている。
【００１６】
係合壁２０は、蓋部３を閉めた際に、キャップ本体２の係合筒８と係合可能に形成されている。本実施形態において、係合壁２０は、略平板状に形成されており、係合筒８と係合する部分にリブ２０ａが形成されている。ヒンジキャップ１は、容器に嵌合溝１４に嵌着された際にキャップ本体２は略ハ字状に変形するが、このリブ２０ａを形成することで、容器への嵌着によって、想定以上にキャップ本体２が変形してとしても、蓋部３の係合壁２０とキャップ本体２の係合筒８とを係合を確保することが可能となっている。
【００１７】
引掛部１９は、庇部２１に連結する様に設けられおり、押圧部２３と、屈曲部２４と、受圧部２５とを有している。押圧部２３は、屈曲部２４を介して受圧部２５と連続しており、その先端部（屈曲部２４とは逆側の端部）の外面には指押部２６が形成される。本実施形態において、押圧部２３は、略段状に形成されており、押圧部２３の先端部は、屈曲部２４の引掛凸部２７よりも外方に位置する様になっている。
【００１８】
屈曲部２４には、引掛凸部２７が設けられている。引掛凸部２７は、蓋部３を閉じた際に、キャップ本体２の孔部１３に引掛る様に形成される。受圧部２５は、その先端部（屈曲部２４とは逆側の端部）が庇部２１と連続していると共に係合壁２０と対向する位置に設けられており、受圧部２５と係合壁２０との間には、引掛部１９を内方へと可動とする可動空間２８が形成されている。
【００１９】
押圧部２３と受圧部２５とは、指押部２６が押された際に、押圧部２３が受圧部２５に遊びをもって押圧可能とするために、空隙２９を介して対向する様に形成されている。尚、本実施の形態においては、押圧部２３と受圧部２５は、同程度の長さに形成されている。
【００２０】
本実施形態において、蓋部３には、突出部３０が更に設けられている。突出部３０は、庇部２１より突出する様に形成されると共に引掛部１９の両脇に位置する様に設けられている。突出部３０は、多数のヒンジキャップ１を１つの箱に梱包して輸送する際に、空隙２９を設けたことによって引掛部１９同士が重なり合ってしまう可能性があるため、引掛部１９同士が重なり合うことを防止するために設けられる。本実施形態においては、突出部３０は、天壁１７からスカート壁１８に掛けて設けられているが、少なくとも天壁１７に設けられていればよい。
【００２１】
次に、本実施形態の蓋部３の開蓋動作について説明する。
（１）第１段階
指押部２６が内方に向かって押されると。先ず、空隙２９（遊び）がある分、引掛凸部２７と孔部１３との引っ掛り合いの解除がされないまま屈曲部２４を中心として押圧部２３が内方へと倒れ込み、その際、引掛凸部２７は、より強く孔部１３に引っ掛る（図６（Ｂ）を参照）。
【００２２】
（２）第２段階
その後、更に、指押部２６が内方に向かって押されることで、押圧部２３が受圧部２５を押圧し、引掛部１９が可動空間２８へと押し込まれる。それによって、引掛凸部２７と孔部１３との引っ掛り合いが解除される（図６（Ｃ）を参照）。そして、蓋部３を回動させる力が働くことで、蓋部３の係合壁２０とキャップ本体２の係合筒８との係合が解除され、蓋部３が開けられる。
【００２３】
このため、輸送時等に掛るであろうと予測され得る力が押圧部２３に掛った際には、引掛凸部２７と孔部１３との引っ掛り合いの解除がされない遊びがあるため、引掛凸部２７と孔部１３との掛合力をそれ程大きくすることなく、蓋部３が不意に開くことを防止することができる。又、本実施形態においては、更に、蓋部３の係合壁２０とキャップ本体２の係合筒８とを予備的に係合させておくことで、瞬時的に掛凸部２７と孔部１３との引っ掛り合いが解除されたとしても蓋部３が開かない様になっている。
【００２４】
この際、押圧部２３と受圧部２５とを同程度の長さに形成し、引掛凸部２７とある程度離間させることで、より大きな空隙２９（遊び）を確保することが可能となる。
る。
【００２５】
そして、需要者が、蓋部３を開ける際は、引掛部１９を押し込み、そのまま蓋部３を回動させるだけで掛凸部２７と孔部１３との引っ掛り合いを解除することができるので、容易に蓋部３を開けること可能である。
【００２６】
本発明を、上記実施形態に基づき説明したが、本発明は、その要旨を変更しない範囲において適宜変更可能である。例えば、キャップ本体２を、頂壁部５と基部７の２つの部材を組み合わせて形成するのではなく、一体的に成形することも可能である。
【符号の説明】
【００２７】
１      ヒンジキャップ      ２      キャップ本体        ３      蓋部
４      ヒンジ部            ５      頂壁部              ６      基部
７      注出筒              ８      係合筒              ９      頂壁
１０    口部                １１    外筒                １２    凸壁
１３    孔部                １４    嵌合溝              １５    内筒
１６    開口部              １７    天壁                １８    スカート壁
１９    引掛部              ２０    係合壁              ２０ａ  リブ
２１    庇部                ２２    中足                ２３    押圧部
２４    屈曲部              ２５    受圧部              ２６    指押部
２７    引掛凸部            ２８    可動空間            ２９    空隙
３０    突出部
【図１】
0006508951.tif 000002
【図２】
0006508951.tif 000003
【図３】
0006508951.tif 000004
【図４】
0006508951.tif 000005
【図５】
0006508951.tif 000006
【図６】
0006508951.tif 000007